(57)【要約】【課題】５０Ｈｚまたは６０Ｈｚから微小にずれたフリッカの周波数に対して検出および除去を行うことが可能な撮像装置を提供すること。【解決手段】第一のフリッカ検出手段と、前記第一のフリッカ検出手段により検出した周波数の分解能よりも高い分解能で前記第一のフリッカ検出手段により検出されたフリッカ周波数を中心とした所定の周波数範囲を対象としてフリッカ周波数を検出する第二のフリッカ検出手段を備え、前記第一のフリッカ検出手段により検出されたフリッカ周波数をもとにフリッカの発生を低減する表示用もしくは記録用の撮影制御条件を決定した後に、前記第二のフリッカ検出手段により検出されたフリッカ周波数をもとに前記撮影制御条件を更新することを特徴とする。【選択図】図２
2016129279.tif 000002
【特許請求の範囲】
【請求項１】
第一のフリッカ検出手段と、前記第一のフリッカ検出手段により検出した周波数の分解能よりも高い分解能で前記第一のフリッカ検出手段により検出されたフリッカ周波数を中心とした所定の周波数範囲を対象としてフリッカ周波数を検出する第二のフリッカ検出手段を備え、
前記第一のフリッカ検出手段により検出されたフリッカ周波数をもとにフリッカの発生を低減する表示用もしくは記録用の撮影制御条件を決定した後に、前記第二のフリッカ検出手段により検出されたフリッカ周波数をもとに前記撮影制御条件を更新することを特徴とする撮像装置。
【請求項２】
前記第二のフリッカ検出手段は、前記第一のフリッカ検出手段により検出されたフリッカ周波数を中心とした所定の周波数範囲を一定に変化させてフリッカ検出を行うことを特徴とする請求項１に記載の撮像装置。
【請求項３】
前記第二のフリッカ検出手段は、検出済みフリッカ周波数を中心として所定量ずらし量ずらした周波数についてフリッカ検出を行ってよりフリッカの小さい方を選択し、フリッカが所定値以下になるまで、前記所定ずらし量を半分に設定してフリッカ検出を繰り返すことを特徴とする請求項１に記載の撮像装置。
【発明の詳細な説明】
【技術分野】
【０００１】
本発明は、カメラ、デジタルカメラ、デジタルカメラ等の撮像装置に関する。
【背景技術】
【０００２】
近年、デジタルカメラの撮像素子として、ＣＭＯＳセンサ等の露光時刻がライン毎に異なるセンサが用いられることがある。上記のセンサの場合には、フリッカが面フリッカとして現れ、横縞を発生させて大変に画像として見苦しいため、フリッカを検出して、フリッカを除去するためのアイデアが様々に考えられている。
【０００３】
特許文献１には、ライン毎にシャッタスピードと感度を変更可能なＣＭＯＳセンサにおいて、通常の露出制御によるラインと蛍光灯のフリッカの影響を受けない露出制御によるラインを交互にもち、それぞれのラインで構成される２つ以上の画像におけるフリッカ有無を判定した結果に応じて、表示用あるいは記録用に使用するラインを切り替える技術が開示されている。
【先行技術文献】
【特許文献】
【０００４】
【特許文献１】特許第５３１１９２２号公報
【発明の概要】
【発明が解決しようとする課題】
【０００５】
ところが、電源周波数が安定していない、あるいは電源周波数が安定していても蛍光灯などの照明装置の劣化などによりフリッカの周波数が基準となる５０Ｈｚまたは６０Ｈｚから僅かにずれた環境においては、検波を行う周波数を５０Ｈｚまたは６０Ｈｚに限定してフリッカ除去処理を行う構成の場合には、フリッカが除去しきれない問題があった。
【０００６】
前記特許文献１においても、フリッカの周波数が基準となる５０Ｈｚまたは６０Ｈｚから微小にずれた環境を考慮したフリッカ除去処理を行う構成は提示されていない。
【０００７】
そこで、本発明の目的は、５０Ｈｚまたは６０Ｈｚから微小にずれたフリッカの周波数に対して検出および除去を行うことが可能な撮像装置を提供することにある。
【課題を解決するための手段】
【０００８】
上記の目的を達成するために、本発明の撮像装置は、
第一のフリッカ検出手段と、前記第一のフリッカ検出手段により検出した周波数の分解能よりも高い分解能で前記第一のフリッカ検出手段により検出されたフリッカ周波数を中心とした所定の周波数範囲を対象としてフリッカ周波数を検出する第二のフリッカ検出手段を備え、前記第一のフリッカ検出手段により検出されたフリッカ周波数をもとにフリッカの発生を低減する表示用もしくは記録用の撮影制御条件を決定した後に、前記第ニのフリッカ検出手段により検出されたフリッカ周波数をもとに前記撮影制御条件を更新することを特徴とする。
【発明の効果】
【０００９】
本発明によれば、５０Ｈｚまたは６０Ｈｚから微小にずれたフリッカの周波数に対して検出および除去を行うことが可能な撮像装置の提供を実現できる。
【図面の簡単な説明】
【００１０】
【図１】本実施例のブロック図である。
【図２】本実施例の概要図である。
【図３】本実施例のフローチャートである。
【図４】本実施例の第一のフリッカ検出フローチャートである。
【図５】本実施例の第ニのフリッカ検出フローチャートである。
【発明を実施するための形態】
【００１１】
以下、図面を参照して本発明の実施例を説明する。
【実施例】
【００１２】
図１は本発明の実施例の構成を示す図である。図１において、１００は画像処理装置である。１０は撮影レンズ、１２は絞り機能を備える機械式シャッタ、１４は光学像を電気信号に変換する撮像素子、１６は撮像素子１４のアナログ信号出力をディジタル信号に変換するＡ／Ｄ変換器である。
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。１２の機械式シャッタ以外にも、１４の撮像素子のリセットタイミングを制御することにより、電子シャッタとして蓄積時間を制御することが可能であり、動画撮影などに使用可能である。
【００１３】
２０は画像処理回路であり、Ａ／Ｄ変換器１６からのデータ或いはメモリ制御回路２２からのデータに対して所定の画素補間処理や色変換処理を行う。また２０の画像処理回路によって画像の切り出し、変倍処理を行うことで電子ズーム機能が実現される。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ方式のＡＡＦ処理、ＡＥ処理、ＥＦ処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１５】
２４は画像表示メモリ、２６はＤ／Ａ変換器、２８はＴＦＴＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００１６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１７】
４０は絞り機能を備えるシャッタ１２を制御する露光制御手段であり、フラッシュ４８と連携することによりフラッシュ調光機能も有するものである。
【００１８】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、ＡＦ補助光の投光機能、フラッシュ調光機能も有する。
【００１９】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２０】
５０は画像処理装置１００全体を制御するシステム制御回路、５２はシステム制御回路５０の動作用の定数、変数、プログラム等を記憶するメモリである。
【００２１】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に設置され、例えばＬＣＤやＬＥＤ、発音素子等の組み合わせにより構成されている。また、表示部５４は、その一部の機能が光学ファインダ１０４内に設置されている。
【００２２】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示などがある。また、ブザー設定表示、電池残量表示、エラー表示、複数桁の数字による情報表示、記録媒体２００及び２１０の着脱状態表示、通信Ｉ／Ｆ動作表示等も可能である。また、表示部５４の表示内容のうち、光学ファインダ１０４内に表示するものとしては、合焦表示、手振れ警告表示、フラッシュ充電表示、シャッタスピード表示、絞り値表示、露出補正表示、等がある。
【００２３】
５６は電気的に消去・記録可能な不揮発性メモリであり、例えばＥＥＰＲＯＭ等が用いられる。
【００２４】
６０、６２、６４、６６、７０、７２及び７４は、システム制御回路５０の各種の動作指示を入力するための操作手段であり、スイッチやダイアル、タッチパネル、視線検知によるポインティング、音声認識装置等の単数或いは複数の組み合わせで構成される。
【００２５】
ここで、これらの操作手段の具体的な説明を行う。６０はモードダイアルスイッチで、電源オフ、自動撮影モード、撮影モード、パノラマ撮影モード、動画撮影モード、再生モード、マルチ画面再生・消去モード、ＰＣ接続モード、テレビ受信モード等の各機能モードを切り替え設定することが出来る。
【００２６】
６２はシャッタスイッチＳＷ１で、シャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２７】
６４はシャッタスイッチＳＷ２で、シャッタボタンの操作完了でＯＮとなる。撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行う、次に記録媒体２００或いは２１０に画像データを書き込む記録処理という一連の処理の動作開始を指示する。
【００２８】
６６は表示切替スイッチで、画像表示部２８の表示切替をすることが出来る。この機能により、光学ファインダ１０４を用いて撮影を行う際に、ＴＦＴＬＣＤ等から成る画像表示部への電流供給を遮断することにより、省電力を図ることが可能となる。
【００２９】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン等がある。またメニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等もある。
【００３０】
７２はユーザーが撮像画像の倍率変更指示を行うズーム操作手段としてのズームスイッチ部である。以下、ズームスイッチ７２ともいう。このズームスイッチ７２は、撮像画角を望遠側に変更させるテレスイッチと、広角側に変更させるワイドスイッチからなる。このズームスイッチ７２を用いることにより、ズーム制御手段４４に撮影レンズ１０の撮像画角の変更を指示し光学ズーム操作を行うトリガとなる。また、画像処理回路２０による画像の切り出しや、画素補間処理などによる撮像画角の電子的な変更のトリガともなる。７４は被写体検出部で、被写体を検出する素子などがある。被写体として、人物の顔を検出する場合も考えられる。
【００３１】
８０は電源制御手段で、電池検出回路、ＤＣ−ＤＣコンバータ、通電するブロックを切り替えるスイッチ回路等により構成されており、電池の装着の有無、電池の種類、電池残量の検出を行う。また検出結果及びシステム制御回路５０の指示に基づいてＤＣ−ＤＣコンバータを制御し、必要な電圧を必要な期間、記録媒体を含む各部へ供給する。
【００３２】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３３】
９０及び９４はメモリカードやハードディスク等の記録媒体とのインターフェース、９２及び９６はメモリカードやハードディスク等の記録媒体と接続を行うコネクタである。
【００３４】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３５】
インターフェース及びコネクタとしては、ＰＣＭＣＩＡカードやＣＦ（コンパクトフラッシュ（登録商標））カード等の規格に準拠したものを用いて構成して構わない。さらに、インターフェース９０及び９４、そしてコネクタ９２及び９６をＰＣＭＣＩＡカードやＣＦ（コンパクトフラッシュ）カード等の規格に準拠したものを用いて構成することも可能である。すなわちＬＡＮカードやモデムカード、ＵＳＢカード、ＩＥＥＥ１３９４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３６】
１０２は、画像処理装置１００のレンズ１０を含む撮像部を覆う事により、撮像部の汚れや破損を防止するバリアである保護手段である。
【００３７】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００３８】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００３９】
１１２は通信手段１１０により画像処理装置１００を他の機器と接続するコネクタ或いは無線通信の場合はアンテナである。
【００４０】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。
【００４１】
２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００４２】
図２は本発明の実施例の概要を説明した図である。図２（ａ）に示すように例えば、電源周波数６０Ｈｚの蛍光灯下において、照明の明るさは１２０Ｈｚで遷移する。この場合デジタルカメラの動画撮影時や、電子ファインダで表示するファインダ表示状態の際には、電子シャッタが１２０Ｈｚ＝１／１２０秒の倍数以外の場合、フリッカが発生してしまう。特に撮像素子１４がＣＭＯＳセンサなど、ライン毎に蓄積時刻が異なるセンサにおいては、ライン単位で明るさが異なることとなり、それが横縞を発生させ、大変見苦しい画像となってしまう。
【００４３】
そこで、本実施例では、ライン毎に蓄積時間を変更させ、シャッタスピードの異なる画像を生成し、フリッカの発生していない画像を表示用もしくは記録用画像として採用している。そのフローチャートを図３および図４に示している。図３、図４は前記デジタルカメラ１００の撮像処理動作を説明するフローチャート図である。
【００４４】
ステップＳ３０１において、モードダイアルスイッチ６０が動画撮影モードの際に、シャッタースイッチＳＷ１６２が押された場合には、ステップＳ３０２において、測光を実施し、カメラの設定するべき露出条件を決定する。本実施例の場合、ＩＳＯ感度をＩＳＯ２００、シャッタスピード１／８０、絞りｆ２．８としている（Ｓ３０３）。本実施例においては簡単のために撮影前に一度測光を実施する実施例となっているが、動画撮影中も常に測光を実施しても問題ないことは言うまでもない。またステップＳ３０３で設定したシャッタスピードを以下ｓｓ１とする。
【００４５】
ステップＳ３０４において、フリッカ検出モードが否かを判断しているが、ユーザーは表示部５４に表示される、メニューや６０、６２、６４、６６、７０、７２及び７４等の操作手段によって、フリッカ検出モードが否かを設定することが可能である。ステップＳ３０４において、フリッカ検出モードでなかった場合にはステップＳ３０６において動画撮影を開始し、フリッカ検出モードであった場合にはステップＳ３０５において動画撮影を開始する。
【００４６】
ステップＳ３０７では、動画撮影開始直後にまずは目立つフリッカを消すために粗いフリッカ検出の設定を行う。具体的には商用電源周波数である５０Ｈｚあるいは６０Ｈｚに対するフリッカ検出を行う設定である。ここで、フリッカ検出対象とするフリッカ周波数に対するシャッタスピードを以下ｓｓ２、ｓｓ３とする。つまり粗いフリッカ検出設定においては、ｓｓ２＝１／６０、ｓｓ３＝１／５０  を設定する。
【００４７】
ステップＳ３０８ではライン毎にシャッタスピードとゲインの変更を実施する。ステップＳ３０９において、ライン番号が３で割って１余る数であった場合（Ｎ＝１，４，７，・・・）、そのラインはステップＳ３０３にて決定した露出条件からの変更は行わない。即ち、ＩＳＯ感度をＩＳＯ２００、シャッタスピード１／８０秒（ｓｓ１）、絞りｆ２．８を維持する（Ｓ３１０１）。
【００４８】
ステップＳ３１１において、ライン番号が３で割って２余る数であった場合（Ｎ＝２，５，８，・・・）、シャッタスピードを１／６０秒（ｓｓ２）に変更し、シャッタスピードで１／３段露出オーバーに変更した分、ゲインを１／３段下げて、ＩＳＯ１６０とする（ステップＳ３１２）。これによって、画面の明るさは同一に保たれる。
【００４９】
同様に、ステップＳ３１３において、残るライン即ちライン番号が３で割って割り切れる数であった場合（Ｎ＝３，６，９，・・・）、シャッタスピードを１／５０秒（ｓｓ３）に変更し、シャッタスピードで２／３段露出オーバーに変更した分、ゲインを２／３段下げて、ＩＳＯ１２８とする（ステップＳ３１４）。
【００５０】
以上を繰り返し、一画面内でシャッタスピード１／８０秒（ｓｓ１）と１／６０秒（ｓｓ２）と１／５０秒（ｓｓ３）のラインが交互に並ぶように（但し、ゲインで補正することにより、明るさは均一）なる。ステップＳ３１５において、この繰り返しが終了したら、ステップＳ３１７において露出を開始し、Ｓ３１８において映像信号の読み出しを実施する。
【００５１】
ステップＳ３１９では、粗いフリッカ検出設定であればステップＳ３２０の採用画像判定１へと進み、細かいフリッカ検出設定であればステップＳ３２１の採用画像判定２へと進む。採用画像判定の概略としては、ステップＳ３１８にて読み出された画像からそれぞれのシャッタスピードのライン毎にラインを振り分けた３画像を抽出して（図４のステップＳ４０２）フリッカの有無を判定し、フリッカの影響が最も小さい前記抽出画像を表示用もしくは記録用画像として選択する処理を実施する。
【００５２】
これを図示したものが図２（ａ）である。普通にライン毎にシャッタスピードを変更しないで、一画面の読み出しで得られる画像と比較して、縦のライン数が１／３となる。近年の撮像素子の高画素化によって、動画等に用いるには、ライン数が１／３となっても十分な品質の画像が得られ、３つともほぼ同一の画像が得られると考えることができる。
【００５３】
ステップＳ３２０における採用画像判定１のフローチャートは図４に、ステップＳ３２１における採用画像判定２のフローチャートは図５に示す。
【００５４】
ステップＳ３２０までの処理により、商用電源周波数により基準となる５０Ｈｚあるいは６０Ｈｚに対するフリッカ対策を読み出し１回の短時間で行うことができる。続けて行う微小な周波数ずれによる残留フリッカ検出のため、ステップＳ３２２では細かいフリッカ検出用の設定を行う。ここで、ｓｓ１はステップＳ３２０あるいはステップＳ３２１で選択された画像のシャッタスピードを設定する。ｓｓ２とｓｓ３はｓｓ１のシャッタスピードを中心とした所定の範囲内の値を設定するが、順次一定に変化させて更新するか、または図２（ｂ）に示すようにｓｓ１を中心として所定ずらし量ずらしたシャッタスピードを設定し、更新のタイミングの度に前記所定ずらし量の半分をずらし量としたシャッタスピードを設定する。このような構成としてより高い分解能でフリッカ検出を行うことが可能となる。ステップＳ３２３において動画撮影が終了したかどうかを判断し、終了の場合は動画撮影を終了する（ステップＳ３２４）。
【００５５】
図４の前記採用画像判定１のフローチャートについて説明する。
【００５６】
ステップＳ４０３において得られた３種類の画像の映像信号の特定領域（中心付近のやや狭い領域）を積分し、ステップＳ４０４において全ての積分結果が一致した場合（若しくは或る一定の閾値以下の差の場合）には、全ての画像でフリッカが発生していないと判断し（ステップＳ４０７）、最初の測光で得られた露出条件である、ＩＳＯ感度ＩＳＯ２００、シャッタスピード１／８０秒（ｓｓ１）、絞りｆ２．８の画像を撮影動画像として採用する（ステップＳ４０８）。
【００５７】
ステップＳ４０４において全ての積分結果が一致しない場合（若しくは或る一定の閾値以上の差の場合）は、ステップＳ４０５において、何れかの画像にフリッカが発生していると判断する。採用画像判定１においては蛍光灯下でのフリッカの検出／除去を目的としたものであるので、この場合は蛍光灯の周波数は５０Ｈｚ若しくは６０Ｈｚであり、シャッタスピード１／５０秒の画像、シャッタスピード１／６０秒の画のどちらかはフリッカが発生していないと判断できる。その場合、まずステップＳ４０において、積分エリアでシャッタスピード１／５０秒の画像とシャッタスピード１／６０秒の画像の信号を減算することにより、フリッカ成分を抽出する。
【００５８】
ステップＳ４０９において、シャッタスピード１／５０秒の画像からフリッカ成分を減算し、シャッタスピード１／６０秒の画像と比較して、信号が一致した場合（若しくは或る一定の閾値以下の差の場合）、シャッタスピード１／６０秒の画像でフリッカが発生していないと判断し（ステップＳ４１３）、ステップＳ４１４において、シャッタスピード１／６０秒の画像を撮影動画像として採用する。ステップＳ４０９において一致しない場合（若しくは或る一定の閾値以上の差の場合）には、シャッタスピード１／６０秒の画像からフリッカ成分を減算し、シャッタスピード１／５０秒の画像と比較して、信号が一致することとなり（ステップＳ４１０）、シャッタスピード１／５０秒の画像でフリッカが発生していないと判断し（ステップＳ４１１）、ステップＳ４１２において、シャッタスピード１／５０秒の画像を撮影動画像として採用する。上記のステップを経ることにより、フリッカが発生していないあるいは最もフリッカが低減された画像を撮影動画像として採用することが可能となり、ステップＳ４１５において、画像判定は終了する。
【００５９】
図５の前記採用画像判定２のフローチャートについて説明する。
【００６０】
ステップＳ５０２では図３のステップＳ３１８にて読み出された画像からそれぞれのシャッタスピードのライン毎にラインを振り分けた３画像を抽出した画像を作成する。ステップＳ５０３では前記抽出画像のフリッカ検出において比較基準となるフリッカレス画像を作成する。具体的には複数フレーム分の前記抽出画像の平均画像を作成する方法などによる。このステップにおいては、表示用あるいは撮像用画像には目立ったフリッカは発生していない状態であるので、複数フレームを必要とするなどの時間がかかる処理を採用することも可能である。
【００６１】
ステップＳ５０４ではｓｓ１、ｓｓ２、ｓｓ３の各画像から前記フリッカレス画像を減算し各画像のフリッカ成分を抽出し、最もフリッカ成分が小さい画像を撮影動画像として採用し（ステップＳ５０５）、その画像のシャッタスピードをｓｓ１に再設定する（ステップＳ５０６）。
【００６２】
ステップＳ５０７では前記最もフリッカ成分が小さい画像のフリッカ成分が、所定値よりも小さければフリッカ検出を終了し（ステップＳ５０８）、そうでなければｓｓ１を基準としてｓｓ２とｓｓ３を再設定する（ステップ５０９）。再設定は前述したように、ｓｓ１のシャッタスピードを中心とした所定の範囲内の値を順次一定に変化させて更新する、あるいは所定ずらし量を順次半減させて更新する方法などを取ればよい。
【００６３】
前記採用画像判定１の前記図４におけるフリッカ検出方法は、あくまで一例であり、例えば、上記の実施例にシャッタスピード１／１２０秒のラインを加えて、シャッタスピード１／５０秒とシャッタスピード１／６０秒のラインの画像の積分値比較により、容易にフリッカ画像を検出することも可能である。また、前述したが、動画撮影中にも常に測光を実施し、適正露出が変化する中でも本実施例は適応可能なことは言うまでもない。また、本実施例は動画撮影中での撮影画像に対する実施例であるが、静止画用の電子ファインダ表示の際の表示画像などの電子シャッタを使用する画像に対して、本実施例は適応可能である。
【００６４】
以上説明したように本発明を適用した撮像装置によれば、５０Ｈｚまたは６０Ｈｚから微小にずれたフリッカの周波数に対して検出および除去を行うことが可能な撮像装置を提供することが可能となる。
【符号の説明】
【００６５】
１０  撮影レンズ、１２  シャッタ、１４  撮像素子、１６  Ａ／Ｄ変換器、
１８  タイミング発生回路、２０  画像処理回路、２２  メモリ制御回路、
２４  画像表示メモリ、２６  Ｄ／Ａ変換器、２８  画像表示部、３０  メモリ、
３２  画像圧縮・伸長回路、４０  露光制御手段、４２  測距制御手段、
４４  ズーム制御手段、４６  バリア制御手段、４８  フラッシュ、
５０  システム制御回路、５２  メモリ、５４  表示部、５６  不揮発性メモリ、
６０  モードダイアルスイッチ、６２  シャッタスイッチＳＷ１、
６４  シャッタスイッチＳＷ２、６６  表示切替スイッチ、７０  操作部、
７２  ズームスイッチ、７４  被写体検出部、８０  電源制御手段、８２  コネクタ、
８４  コネクタ、８６  電源手段、９０  インターフェース、９２  コネクタ、
９４  インターフェース、９６  コネクタ、１００  画像処理装置、１０２  保護手段、
１０４  光学ファインダ、１１０  通信手段、１１２  コネクタ（またはアンテナ）、
２００  記録媒体、２０２  記録部、２０４  インターフェース、２０６  コネクタ、
２１０  記録媒体、２１２  記録部、２１４  インターフェース、２１６  コネクタ
【図１】
2016129279.tif 000003
【図２】
2016129279.tif 000004
【図３】
2016129279.tif 000005
【図４】
2016129279.tif 000006
【図５】
2016129279.tif 000007